(57)【特許請求の範囲】
【請求項１】
（ａ）収容棚７の板状の台１３上のカルテ用収納領域１８に、複数のカルテファイル４が収納され、
（ｂ）各カルテファイル４は、
（ｂ１）樹脂材料から成るカルテ収納シート２２と、樹脂材料から成る表紙部１９とを含み、
（ｂ２）カルテ収納シート２２は、
（ｂ２−１）カルテ２５と同一形状のシート本体２７であって、このシート本体２７の幅方向一端部２７ａが表紙部１９と連結されて、内折れ部２１で折り畳み可能であるシート本体２７と、
（ｂ２−２）シート本体２７の幅方向他端部２７ｂに形成される保持部２８であって、
シート本体２７の幅方向他端部２７ｂから立上る立上り部２８ａと、
立上り部２８ａの端部から立上り部２８ａに対して離反する方向に延びる外カバー部２８ｂと、
外カバー部２８ｂの端部からシート本体２７に近接する方向に折り返されて突出し、シート本体２７との間でカルテ２５を挟持して保持する押圧部２８ｃとを有する保持部２８とを含み、
（ｃ）複数のカルテ用収納領域１８に仕切る板状の複数のアンテナユニット３であって、隣接する各カルテ用収納領域１８にそれぞれ臨む２つのコイル状収納領域用アンテナ１７でフェライト板１５を介在した構成を有するアンテナユニット３と、
（ｄ）前記表紙部１９に設けられる板状のＩＣタグ５であって、
（ｄ１）コイル状タグ用アンテナ３１と、
（ｄ２）タグ用アンテナ３１に接続され、タグ用アンテナ３１とともに共振回路３８を形成する共振コンデンサ３２と、
（ｄ３）共振回路３８に接続されるスイッチング素子４０と、
（ｄ４）共振回路３８に接続され、交流電力を直流電力に変換する整流器３４と、
（ｄ５）カルテファイル１８を識別するタグ識別情報を記憶するタグ記憶手段３６と、
（ｄ６）整流器３４からの直流電力が与えられ、タグ記憶手段３６からタグ識別情報を読出して、そのタグ識別情報に対応してコード化してスイッチング素子４０をオン、オフし、磁界を変調するタグ制御手段３７とを含むＩＣタグ５と、
（ｅ）前記台１３に、各カルテ用収納領域１８にそれぞれ対応付けて配設され、発光して利用者に報知する表示部８と、
（ｆ）カード識別情報が記録されるカード１１と、
（ｇ）カード１１のカード識別情報を読取る読取り器６と、
（ｈ）読取り器６によって読取ったカード識別情報を記憶する本体記憶部９と、
（ｉ）本体制御部１０であって、
（ｉ１）各カルテ用収納領域１８の両側に配置された２つのアンテナユニット３にそれぞれ備えられる収納領域用アンテナ１７のうち、同一のカルテ用収納領域１８に臨んで対向して各対を成す収納領域用アンテナ１７を対毎に順次的に励振して、その各カルテ収納領域１８に交番磁界を発生する励振回路と、
（ｉ２）前記対を成すアンテナ１７の出力によって、前記変調された磁界を検出し、この検出した変調磁界に対応するタグ識別情報が、読取り器６によって読取ったカード識別情報と一致するか否かを判定する判定手段と、
（ｉ３）判定手段によってタグ識別情報がカード識別情報と一致すると判定されたとき、その一致したタグ識別情報に対応するＩＣタグ５が設けられたカルテファイル４が収納されているカルテ用収納領域１８に配設された表示部８を点灯する制御手段とを含む本体制御部１０とを含むことを特徴とするカルテの収納位置検出装置。
【請求項２】
複数のカルテ２５は、積層されて、表紙部１９の折り畳まれたときカルテ収納シート２２に対向する厚み方向一表面部２３に、粘着テープ２６で貼付けられ、ＩＣタグ５は、表紙部１９の厚み方向他表面部３０に設けられることを特徴とする請求項１記載のカルテの収納位置検出装置。
【請求項３】
前記表紙部１９に樹脂材料から成るもう１つの表紙部２０が前記内折れ部２１で折り畳み可能に連結され、
シート本体２７は、前記もう１つの表紙部２０の折り畳まれたとき前記表紙部１９に対向する厚み方向一表面部２４に配設されることを特徴とする請求項１または２記載のカルテの収納位置検出装置。
【請求項４】
請求項１〜３のうちの１つに記載されたカルテの収納位置検出装置を準備し、
カード１１を読取り器６によって読取らせ、
点灯された表示部８に対応するカルテ用収納領域１８に収納されている複数のカルテファイル４のうちから、カード１１に対応する１つのカルテファイル４を選び出すことを特徴とする収納されたカルテの取出し方法。
【発明の詳細な説明】
【技術分野】
【０００１】
本発明は、カルテを収納し、そのカルテが収納されている位置を検出するカルテの収納位置検出装置に関する。
【背景技術】
【０００２】
従来の技術であるカルテの収納位置検出装置は、複数のカルテが予め定められる位置にそれぞれ収納される。カルテの収納位置検出装置は、利用者のカルテが収納されるべき位置である収納位置を記憶する記録媒体から前記収納位置を読取り可能に構成される。カルテの収納位置検出装置は、記録媒体から収納位置を読取ると、前記収納位置に対応する位置を報知する（たとえば、特許文献１参照）。
【０００３】
【特許文献１】特開平１０−１５７８０９号公報
【発明の開示】
【発明が解決しようとする課題】
【０００４】
従来の技術のカルテの収納位置検出装置では、利用者のカルテが、記録媒体に記憶される収納位置に対応する位置に収納されていない場合がある。たとえば、誤った位置に収納される、カルテを紛失する、または長時間使用しないカルテを倉庫に移動させる場合である。この場合、カルテが収納されている位置が判らない。それ故、利用者のカルテを全てのカルテの中から探索する必要がある。病院では、この探索作業のために多く人員を割くまたは人員を確保する必要があり、人件費が嵩む。
【０００５】
本発明の目的は、カルテが収納されている位置を報知するカルテの収納位置検出装置を提供することである。
【課題を解決するための手段】
【０００６】
本発明は、（ａ）収容棚７の板状の台１３上のカルテ用収納領域１８に、複数のカルテファイル４が収納され、
（ｂ）各カルテファイル４は、
（ｂ１）樹脂材料から成るカルテ収納シート２２と、樹脂材料から成る表紙部１９とを含み、
（ｂ２）カルテ収納シート２２は、
（ｂ２−１）カルテ２５と同一形状のシート本体２７であって、このシート本体２７の幅方向一端部２７ａが表紙部１９と連結されて、内折れ部２１で折り畳み可能であるシート本体２７と、
（ｂ２−２）シート本体２７の幅方向他端部２７ｂに形成される保持部２８であって、
シート本体２７の幅方向他端部２７ｂから立上る立上り部２８ａと、
立上り部２８ａの端部から立上り部２８ａに対して離反する方向に延びる外カバー部２８ｂと、
外カバー部２８ｂの端部からシート本体２７に近接する方向に折り返されて突出し、シート本体２７との間でカルテ２５を挟持して保持する押圧部２８ｃとを有する保持部２８とを含み、
（ｃ）複数のカルテ用収納領域１８に仕切る板状の複数のアンテナユニット３であって、隣接する各カルテ用収納領域１８にそれぞれ臨む２つのコイル状収納領域用アンテナ１７でフェライト板１５を介在した構成を有するアンテナユニット３と、
（ｄ）前記表紙部１９に設けられる板状のＩＣタグ５であって、
（ｄ１）コイル状タグ用アンテナ３１と、
（ｄ２）タグ用アンテナ３１に接続され、タグ用アンテナ３１とともに共振回路３８を形成する共振コンデンサ３２と、
（ｄ３）共振回路３８に接続されるスイッチング素子４０と、
（ｄ４）共振回路３８に接続され、交流電力を直流電力に変換する整流器３４と、
（ｄ５）カルテファイル１８を識別するタグ識別情報を記憶するタグ記憶手段３６と、
（ｄ６）整流器３４からの直流電力が与えられ、タグ記憶手段３６からタグ識別情報を読出して、そのタグ識別情報に対応してコード化してスイッチング素子４０をオン、オフし、磁界を変調するタグ制御手段３７とを含むＩＣタグ５と、
（ｅ）前記台１３に、各カルテ用収納領域１８にそれぞれ対応付けて配設され、発光して利用者に報知する表示部８と、
（ｆ）カード識別情報が記録されるカード１１と、
（ｇ）カード１１のカード識別情報を読取る読取り器６と、
（ｈ）読取り器６によって読取ったカード識別情報を記憶する本体記憶部９と、
（ｉ）本体制御部１０であって、
（ｉ１）各カルテ用収納領域１８の両側に配置された２つのアンテナユニット３にそれぞれ備えられる収納領域用アンテナ１７のうち、同一のカルテ用収納領域１８に臨んで対向して各対を成す収納領域用アンテナ１７を対毎に順次的に励振して、その各カルテ収納領域１８に交番磁界を発生する励振回路と、
（ｉ２）前記対を成すアンテナ１７の出力によって、前記変調された磁界を検出し、この検出した変調磁界に対応するタグ識別情報が、読取り器６によって読取ったカード識別情報と一致するか否かを判定する判定手段と、
（ｉ３）判定手段によってタグ識別情報がカード識別情報と一致すると判定されたとき、その一致したタグ識別情報に対応するＩＣタグ５が設けられたカルテファイル４が収納されているカルテ用収納領域１８に配設された表示部８を点灯する制御手段とを含む本体制御部１０とを含むことを特徴とするカルテの収納位置検出装置である。
【０００７】
また本発明は、複数のカルテ２５は、積層されて、表紙部１９の折り畳まれたときカルテ収納シート２２に対向する厚み方向一表面部２３に、粘着テープ２６で貼付けられ、ＩＣタグ５は、表紙部１９の厚み方向他表面部３０に設けられることを特徴とする。
【０００８】
また本発明は、前記表紙部１９に樹脂材料から成るもう１つの表紙部２０が前記内折れ部２１で折り畳み可能に連結され、
シート本体２７は、前記もう１つの表紙部２０の折り畳まれたとき前記表紙部１９に対向する厚み方向一表面部２４に配設されることを特徴とする。
【０００９】
また本発明は、請求項１〜３のうちの１つに記載されたカルテの収納位置検出装置を準備し、
カード１１を読取り器６によって読取らせ、
点灯された表示部８に対応するカルテ用収納領域１８に収納されている複数のカルテファイル４のうちから、カード１１に対応する１つのカルテファイル４を選び出すことを特徴とする収納されたカルテの取出し方法である。
【００１０】
【００１１】
【００１２】
【００１３】
【００１４】
【００１５】
【発明の効果】
【００１６】
本発明によれば、励振回路は、１つのカルテ用収納領域１８に臨んで対を成す収納領域用アンテナ１７を励振して、カルテ用収納領域１８に交番磁界を発生させる。交番磁界が発生するカルテ用収納領域１８内において、ＩＣタグ５は、タグ用アンテナ３１によって誘導起電力を発生する。この誘導起電力によってタグ制御手段３７が駆動され、タグ記憶手段３６に記憶されるタグ識別情報を読出し、スイッチング素子４０のコード化されたオン、オフによってタグ用アンテナ３１は、磁界を変調することによってこのタグ識別情報を出力する。このタグ識別情報は、本体制御部１０で検出され、カード識別情報と一致するか否かが判定手段によって判定される。タグ識別情報とカード識別情報とが一致すると、カード識別情報と一致するタグ識別情報を記憶するＩＣタグ５が設けられるカルテが、カルテ用収納領域１８に収納されていることを、報知手段である表示部８の点灯によって報知する。これによって予め、タグ識別情報を割振ってタグ記憶手段３６に記憶させておけば、カード識別情報を読取り器６によって読取らせるだけで、カルテ用収納領域１８に一致カルテが収納されているか否かを知ることができる。それ故、一致カルテを探索する探索作業の負担を軽減できる。換言すると、探索作業に伴う人件費を低減できる。またカルテファイル４に設けられるＩＣタグ５に記憶されるタグ識別情報を確認する確認作業を省くことができ、確認作業に伴う人件費を低減できる。
【００１７】
【００１８】
本発明によれば、対を成す収納領域用アンテナ１７は、複数の各カルテ用収納領域１８にそれぞれ臨んで両側に設けられる。励振回路は、各収納領域用アンテナ１７を順次的に励振して、カルテ用収納領域１８に交番磁界を発生させる。アンテナ１７の対毎に、したがって各収納領域１８毎に、順次的に一対のアンテナ１７を励振することによって、カルテ用収納領域１８毎に一致カルテが収納されているか否かを判定できる。これによって一致カルテがいずれのカルテ用収納領域１８に収納されているか、すなわち一致カルテの収納されている収納位置を知ることができる。したがって複数のカルテ用収納領域１８が形成される場合であっても、予め、タグ識別情報を割振ってタグ記憶手段３６に記憶させておけば、カード識別情報を読取り器６で読取らせるだけで、一致カルテが収納される収納領域１８を知ることができる。それ故、一致カルテを探索する探索作業の負担を軽減できる。換言すると、探索作業に伴う人件費を低減できる。
【００１９】
【００２０】
表示部８は、半導体発光素子でもよい。半導体発光素子が発光することによって、カルテが収納される収納位置を報知する。これによってカルテの収納位置を容易に知ることができる。
【００２１】
【００２２】
【００２３】
【００２４】
【００２５】
【発明を実施するための最良の形態】
【００２６】
以下、図面を参照しながら本発明を実施するための形態を説明する。
【００２７】
図１は、本発明の実施の一形態であるカルテの収納位置検出装置１の一部を拡大して示す拡大斜視図である。図２は、装置本体２の電気的な構成を示すブロック図である。図３は、本体アンテナユニット３を示す斜視図である。カルテの収納位置検出装置１は、複数のカルテファイル４を収納可能に構成され、前記カルテファイル４が収納される位置を報知する装置である。カルテの収納位置検出装置１は、装置本体２とＩＣタグ５とを含む。
【００２８】
装置本体２は、読取り器６、収納棚７、複数の本体アンテナユニット３、複数の表示部８、本体記憶部９および本体制御部１０を含む。読取り器６は、磁気カード１１の情報を読取る機能を有する。読取り器６は、いわゆるカードリーダである。記録媒体である磁気カード１１は、磁気によって利用者の識別情報を記憶する機能を有する。読取り器６は、磁気カード１１を通すと、磁気カード１１に記憶される識別情報を読取る機能を有する。
【００２９】
収納棚７は、２つの固定板１２と複数の仕切り台１３とを含む。収納棚７は、第１方向Ａ１に伸びる２つの固定板１２が配設される。２つの固定板１２は、互いに第２方向Ａ２に間隔を空けて配設される。第２方向Ａ２は、第１方向Ａ１に垂直な方向である。２つの固定板１２の間には、複数の仕切り台１３が第１方向Ａ１に間隔を空けて並設される。各仕切り台１３は、第２方向Ａ２に伸びる扁平状の板部材であり、その厚み方向が第１方向Ａ１に一致する。各仕切り台１３の第２方向Ａ２の両端部は、２つの固定板１２にそれぞれ固定される。
【００３０】
本体アンテナユニット３は、２つの本体アンテナ器１４とフェライト板１５とを含む。２つの本体アンテナ器１４は、構成が同一であるので、一方の本体アンテナ器１４について説明し、他方の本体アンテナ器１４については、同一の符号を付してその説明を省略する。本体アンテナ器１４は、筐体１６と本体アンテナ１７とを含む。筐体１６は、絶縁性材料、たとえば樹脂材料によって構成され、板状に形成される。本体アンテナ１７は、筐体１６の内方に配設される。収納領域用アンテナである本体アンテナ１７は、いわゆるコイルアンテナであり、筐体１６の厚み方向に垂直な仮想平面上に渦状に形成される。ただし、前記仮想平面上に形成される。本体アンテナ１７は、銅などの導電材料から成り、本体制御部１０に電気的に接続される。本体アンテナ１７は、交流電流が流れると、交番磁界を発生して無線信号を出力する機能を有する。本体アンテナ１７は、無線信号を受信する機能を有する。フェライト板１５は、フェライトから成り、板状に形成される。
【００３１】
本体アンテナユニット３は、２つの本体アンテナ器１４が、これらの間にフェライト板１５を介在させて並設される。２つの本体アンテナ器１４は、これらの厚み方向を互いに一致させて並設される。収納棚７には、複数の本体アンテナユニット３が配設される。各本体アンテナユニット３は、第２方向Ａ２に間隔を空けて各仕切り台１３上に配設される。各本体アンテナユニット３は、各段を仕切り、複数のカルテ用収納領域１８を形成する。換言すると、カルテ用収納領域１８の両側には、本体アンテナ器１４がそれぞれ配設される。このカルテ用収納領域１８の両側に、互いに対向して配設される２つの本体アンテナ器１４を「一対の本体アンテナ器１４」と称する。段は、２つの固定板１２と互いに対向する仕切り台１３とによって囲繞される部分である。本実施の形態では、Ｎ０組の一対の本体アンテナ器１４が配設される。換言すると、本体アンテナユニット３によって、収納棚がＮ０個のカルテ用収納領域１８に区分けされる。一対の本体アンテナ器１４は、これらの間に形成されるカルテ用収納領域１８内に、少なくとも本体アンテナ１７から出力される無線信号が伝播される間隔で配設される。具体的には、一対の本体アンテナ器１４の間隔は、６０ｃｍ以下であることが好ましい。ただしこのような距離に限定されない。カルテ用収納領域１８には、複数のカルテファイル４が収納可能に構成される。
【００３２】
報知手段である表示部８は、半導体発光素子（略称：ＬＥＤ）であり、仕切り台１３に配設される。ただしＬＥＤに限定されず、液晶ディスプレイなどの文字を表示するものであってもよい。表示部８は、一対の本体アンテナ器１４の組数と少なくとも同数が配設される。本実施の形態では、Ｎ０個の表示部８が配設される。各表示部８は、各カルテ用収納領域１８と対応付けて配設される。具体的には、各カルテ用収納領域１８を形成する一対の本体アンテナ器１４に対応付けて配設される。表示部８は、たとえば発光させて、利用者に報知する機能を有する。
【００３３】
記憶手段である本体記憶部９は、たとえばＲＡＭであり、本体制御部１０に電気的に接続される。本体記憶部９は、本体制御部１０を駆動するためのプログラムを記憶する。本体記憶部９は、読取り器６によって読取った識別情報を記憶する。本体記憶部９は、各一対の本体アンテナ器１４およびこれに対応付けられる表示部８にアンテナ番号Ｎを１から順に付して、その対応関係を記憶する。本体記憶部９は、一対の本体アンテナ器１４の総組数Ｎ０を記憶する。本体記憶部９は、様々な情報を記憶する。
【００３４】
本体制御部１０は、たとえばＣＰＵであり、読取り器６で読取った識別情報を取得し、本体記憶部９に記憶させる機能を有する。本体制御部１０は、搬送波を発生させる機能を有する。本体制御部１０は、一対の本体アンテナ器１４毎に順次的に搬送波を伝送して、一対の本体アンテナ器１４を励振させる機能を有する。本体制御部１０は、一対の本体アンテナ器１４を励振させることによって、カルテ用収納領域１８毎に順次的に交番磁界を発生させて、電力供給無線信号Ｗ１を出力する機能を有する。搬送波は、一定間隔Ｗ２置きに発生され伝送される。本体制御部１０は、搬送波を振幅変調することによって要求信号を発生させる機能を有する。本実施の形態では、負荷変調によって、搬送波が振幅変調され、その変調度が１００％である。ただし変調度は１００％限定されず、１０％であってもよい。本体制御部１０は、要求信号を一対の本体アンテナ器１４に伝送し、要求信号がコード化される交番磁界をカルテ用収納領域１８毎に発生させて、要求無線信号Ｗ３を出力する機能を有する。要求無線信号Ｗ３は、要求信号がコード化される無線信号である。本体制御部１０は、要求信号を予め定められる時間間隔で発生させる。本体制御部１０は、演算する機能を有する。
【００３５】
図４は、ＩＣタグ５が設けられるカルテファイル４を示す斜視図である。図５は、カルテファイル４を拡大して示す斜視図である。図６は、カルテファイル４を分解して示す分解図である。図７は、ＩＣタグ５の電気的な構成を示すブロック図である。カルテ収納体であるカルテファイル４は、病院のカルテを綴じるために使用される。カルテファイル４には、第１表紙部１９、第２表紙部２０、内折れ部２１およびカルテ収納シート２２を含む。
【００３６】
第１表紙部１９および第２表紙部２０は、樹脂材料から成り、板状に形成される。第１表紙部１９および第２表紙部２０は、その厚み方向平面視でカルテと同一形状に形成される。第１表紙部１９および第２表紙部２０は、これらの幅方向一端部が内折れ部２１で連結される。内折れ部２１は、第１および第２表紙部２０と連結される部分でそれぞれ折り畳み可能に構成される。第１および第２表紙部１９，２０は、内折れ部２１を介して折り畳んだ状態で、これらの厚み方向一表面部２３，２４が互いに対向するように配設される。第１表紙部１９は、図４および図５に示すように、折り畳まれたとき、カルテ収納シート２２に対向する厚み方向一表面部２３に複数のカルテ２５を積層して乗載可能に構成される。乗載されるカルテ２５は、たとえば粘着テープ２６によって第１表紙部１９に貼付けされて固定される。
【００３７】
カルテ収納シート２２は、樹脂材料から成り、シート本体２７と保持部２８とを含む。シート本体２７は、板状に形成される。シート本体２７は、その厚み方向平面視でカルテ２５と同一形状に形成される。シート本体２７は、第２表紙部２０の厚み方向一表面部２４に配設される。シート本体２７は、その幅方向一端部２７ａが、粘着テープ２６などによって第２表紙部２０に貼付けされて固定され、したがって第１表紙部１９と連結される。そのため前述の第１表紙部１９と、第２表紙部２０、したがってシート本体２７とが、内折れ部２１で折り畳み可能である。シート本体２７は、その幅方向他端部２７ｂに保持部２８が形成される。保持部２８は、立上り部２８ａ、外カバー部２８ｂおよび押圧部２８ｃを含む。立上り部２８ａは、シート本体２７の幅方向他端部２７ｂから第２表紙部２０に対してシート本体２７の幅方向一端部２７ａに向かって離反する方向（図６の上方）に延びる。外カバー部２８ｂは、立上り部２８ａの端部から立上り部２８ａに対して離反する方向（図６の左方）に延びる。押圧部２８ｃは、外カバー部２８ｂの端部から立上り部２８ａに近接する方向に折り返されて鉤状に形成される。押圧部２８ｃは、その頂部２９がシート本体２７に近接する方向に突出し、シート本体２７に当接する。頂部２９とシート本体２７との間にカルテ２５を介在させると、押圧部２８ｃとシート本体２７とによってカルテ２５が挟持され、保持される。
【００３８】
ＩＣタグ５は、いわゆるＲＦＩＤタグであり、板状に形成され、カルテファイル４の第１表紙部１９または第２表紙部２０の厚み方向他表面部３０に配設される。ＩＣタグ５は、タグ用アンテナ３１、共振コンデンサ３２、負荷変調回路３３、整流器３４、充電用コンデンサ３５、タグ記憶部３６およびタグ制御部３７を含む。タグ用アンテナ３１は、いわゆるコイルアンテナであり、ＩＣタグ５の厚み方向に垂直な仮想平面上に渦状に形成される。ただしタグ用アンテナ３１は、前記仮想平面上に形成されることに限定されず、螺旋状に形成されてもよい。タグ用アンテナ３１は、銅などの導電材料から成り、その一端部および他端部がタグ制御部３７に電気的に接続される。タグ用アンテナ３１は、交番磁界内で誘導起電力を発生し、各構成部に電力を供給する機能を有する。すなわちタグ用アンテナ３１は、電力供給無線信号Ｗ１を受信すると、誘導起電力を発生し、各構成部に電力を供給する機能を有する。タグ用アンテナ３１は、交流電流が流れると、反磁界を発生して無線信号を出力する機能を有する。タグ用アンテナ３１は、無線信号を受信する機能を有する。
【００３９】
共振コンデンサ３２は、タグ用アンテナ３１に対して並列に、タグ制御部３７に対して並列に電気的に接続される。共振コンデンサ３２は、タグ用アンテナ３１とともに共振回路３８を形成する。負荷変調回路３３は、抵抗３９およびスイッチング素子４０を含む。負荷変調回路３３は、抵抗３９とスイッチング素子４０とが直列に接続される。負荷変調回路３３は、タグ用アンテナ３１に対して並列に、共振コンデンサ３２およびタグ制御部３７に対して並列に電気的に接続される。スイッチング素子４０は、電界効果型トランジスタであり、ソースおよびドレインが抵抗３９とタグ用アンテナ３１との間に直列に電気的に接続される。たとえば、ソースが抵抗３９に電気的に接続され、ドレインがタグ用アンテナ３１に電気的に接続される。スイッチング素子４０は、ゲートがタグ制御部３７に電気的に接続される。負荷変調回路３３は、スイッチング素子４０のオンおよびオフを切替えることによって、信号を振幅変調する機能を有する。
【００４０】
整流器３４は、交流電流を整流して直流電流に変換する機能を有する。整流器３４は、タグ用アンテナ３１に対して並列に、共振コンデンサ３２、負荷変調回路３３およびタグ制御部３７に対して並列に電気的に接続される。整流器３４は、整流される直流電流をタグ制御部３７に流すために、タグ制御部３７と２つの導電線４１によって電気的に接続される。充電用コンデンサ３５は、２つの導電線４１間に電気的に接続される。充電用コンデンサ３５は、充電および放電可能に構成される。具体的には、充電用コンデンサ３５は、整流器３４によって整流される直流電流によって充電され、前記直流電流の供給がなくなる、たとえば一定間隔Ｗ２で、放電し、タグ制御部３７に電力を供給する機能を有する。
【００４１】
タグ記憶手段であるタグ記憶部３６は、タグ制御部３７に電気的に接続される。タグ記憶部３６は、タグ制御部３７を駆動するためのプログラムを記憶する。タグ記憶部３６は、タグ識別情報を書換え可能に記憶する。ただしタグ記憶部３６は、タグ識別情報を書換え可能に記憶するものに限定されず、書換え不可能に記憶するものであってもよい。タグ識別情報は、予め定められる情報である。各ＩＣタグ５には、異なるタグ識別情報がそれぞれ割当てられ、タグ記憶部３６にそれぞれ記憶される。すなわちタグ識別情報は、各ＩＣタグ５、したがってそれが設けられた各カルテファイル１８を識別するための、ＩＣタグ５毎に異なる固有の情報である。各磁気カード１１には、これらのタグ識別情報のうち１つのタグ識別情報に一致する識別情報が記憶される。すなわち識別情報とタグ識別情報とが一対一で対応付けられている。本実施の形態では、１つの磁気カード１１に対して、１つの識別情報および１つのタグ識別情報が割当てられている。ただし１つの磁気カード１１に対して、複数の識別情報およびタグ識別情報が割当てられてもよい。タグ記憶部３６は、様々な情報を記憶する。
【００４２】
タグ制御部３７は、タグ用アンテナ３１が受信する要求無線信号Ｗ３に基づいて、要求信号を検出する機能を有する。タグ制御部３７は、要求信号を検出すると、タグ記憶部３６からタグ識別情報を読出し、このタグ識別情報に基づいて、タグ搬送波を振幅変調してタグ識別信号を発生させる機能を有する。具体的には、タグ制御部３７は、タグ搬送波を分周し、副搬送波を発生させ、この副搬送波をタグ識別情報に基づいて位相変調する。タグ制御部３７は、この位相変調される信号に基づいて、スイッチング素子４０のオンおよびオフを切替えて、タグ搬送波を振幅変調させてタグ識別信号を発生させる。タグ搬送波は、電力供給無線信号Ｗ１を受信することによって、共振回路３８に発生する信号である。各タグ制御部３７は、スイッチング素子４０をオン、オフして、タグ用アンテナ３１によってタグ識別情報がコード化されるように変調された磁界を発生させて、タグ無線信号Ｗ４，Ｗ５を出力する機能を有する。タグ無線信号Ｗ４，Ｗ５は、タグ識別情報がコード化される無線信号である。
【００４３】
本体制御部１０は、本体アンテナ器１４によってタグ無線信号Ｗ４，Ｗ５を受信する機能を有する。具体的には、本体制御部１０は、ビットコリジョン方式およびスロットマーカ方式などの衝突防止処理によって、複数のＩＣタグ５から出力されるタグ無線信号Ｗ４，Ｗ５から１つのタグ無線信号Ｗ４を受信する機能を有する。本体制御部１０は、受信するタグ無線信号Ｗ４に基づいて、タグ識別情報を検出し、このタグ識別情報を本体記憶部９に記憶する機能を有する。本体制御部１０は、本体記憶部９に記憶される識別情報およびタグ識別情報とが一致するか否かを判定する機能を有する。本体制御部１０は、一致する場合、タグ無線信号Ｗ４を受信する一対の本体アンテナ器１４のアンテナ番号Ｎに対応付けられる表示部８を本体記憶部９から読出し、この表示部８を発光させる機能を有する。
【００４４】
本実施の形態では、本体制御部１０が、励振回路、検出手段、判定手段および制御手段に相当し、タグ制御部３７が、タグ制御手段に相当する。また物品がカルテファイル４に相当し、カルテ用収納領域１８が物品用収納領域に相当する。
【００４５】
図８は、本体制御部１０およびタグ制御部３７の動作を示すフローチャートである。図８（ａ）は、本体制御部１０の動作を示し、図８（ｂ）は、タグ制御部３７の動作を示す。図９は、装置本体２およびＩＣタグ５から出力される無線信号の波形の包絡線を示す波形図である。図９（ａ）は、装置本体２から出力される無線信号の波形の包絡線を示し、図９（ｂ）は、ＩＣタグ５から出力される無線信号の波形の包絡線を示し、図９（ｃ）は、他のＩＣタグ５から出力される無線信号の波形の包絡線を示す。図９は、横軸が時間を示し、縦軸が振幅を示す。図９（ｂ）および図９（ｃ）では、各ＩＣタグ５から出力される無線信号のうち、代表的なものを示している。本実施の形態において、本体制御部１０とタグ制御部３７と情報の転送方式に全二重方式が用いられる場合について説明する。ただし、全二重方式に限定されず、たとえば半２重方式およびシーケンシャル方式であってもよい。他の実施の形態においても、同様である。以下では、本体制御部１０およびタグ制御部３７の動作について説明する。
【００４６】
まず、本体制御部１０の動作について説明する。読取り器６に磁気カード１１が通されると、収納位置検出処理を開始し、ステップａ１へ移行する。ステップａ１では、読取り器６に通される磁気カード１１から識別情報を読取る。読取った識別情報を本体記憶部９に記憶する。識別情報を記憶すると、ステップａ２へ移行する。ステップａ２は、同一のカルテ用収納領域１８に臨んで対向して対を成すアンテナ１７の各対毎のアンテナ番号Ｎを、先ずＮ＝１に設定する。アンテナ番号Ｎを設定すると、ステップａ３へ移行する。ステップａ３では、設定されたアンテナ番号Ｎが付される一対の本体アンテナ器１４、したがってアンテナ１７から、図９（ａ）に示す電力供給無線信号Ｗ１を出力する。電力供給無線信号Ｗ１を出力すると、ステップａ４へ移行する。ステップａ４では、アンテナ番号Ｎが付される一対の本体アンテナ器１４から、図９（ａ）に示す要求無線信号Ｗ３を出力する。要求無線信号Ｗ３を出力すると、ステップａ５へ移行する。
【００４７】
ステップａ５では、ＩＣタグ５からの出力されるタグ無線信号Ｗ４，Ｗ５の受信の有無を判定する。タグ無線信号Ｗ４，Ｗ５の受信無しと判定すると、ステップａ６へ移行する。ステップａ６では、次に、アンテナ番号Ｎに１を加える、すなわちＮ＝Ｎ＋１の演算を行う。演算が行われると、ステップａ７へ移行する。ステップａ７では、アンテナ番号Ｎが一対の本体アンテナ器１４の総組数Ｎ０より大きいか否かを判定する。Ｎ≦Ｎ０の場合、ステップａ３へ戻り、こうして前記対毎に順次的なアンテナ１７の励振が行なわれる。Ｎ＞Ｎ０の場合、表示部８を発光させずに処理を終了する。すなわち識識別情報と一致するタグ識別情報を有するＩＣタグ５が配設されるカルテファイル４（以下、単に「一致ファイル４」と称する）が収納されていないことを報知して処理を終了する。
【００４８】
ステップａ５でタグ無線信号Ｗ４，Ｗ５のうちのいずれか一方、たとえばタグ無線信号Ｗ４の受信有りと判定すると、タグ無線信号Ｗ４にコード化されるタグ識別情報を検出する。検出するタグ識別情報を本体記憶部９に記憶させる。タグ識別情報を記憶させると、ステップａ８へ移行する。ステップａ８では、本体記憶部９が記憶するタグ識別情報と識別情報とが一致するか否かを判定する。一致しないと判定すると、ステップａ６へ移行する。一致すると判定すると、アンテナ番号Ｎに対応付けられる表示部８を発光させ、一致ファイル４が収納されるカルテ用収納領域１８の位置を報知する。報知すると、処理を終了する。
【００４９】
次に、タグ制御部３７の動作について説明する。タグ用アンテナ３１によって電力供給無線信号Ｗ１を受信すると、ＩＣタグ駆動処理を開始し、ステップｂ１へ移行する。ステップｂ１では、タグ用アンテナ３１は、受信する電力供給無線信号Ｗ１によって、誘導起電力を発生する。これによってタグ制御部３７に電力が供給され、待機状態になる。充電用コンデンサ３５は、充電を開始する。待機状態になると、ステップｂ２へ移行する。ステップｂ２では、要求無線信号Ｗ３の受信の有無を判定する。要求無線信号Ｗ３の受信無しと判定すると、ステップｂ１へ戻り待機状態となる。要求無線信号Ｗ３の受信有りと判定すると、要求無線信号Ｗ３に基づいて、要求信号を検出する。要求信号を検出すると、ステップｂ３へ移行する。ステップｂ３では、タグ記憶部３６からタグ識別情報を読み出す。タグ識別情報を読み出すと、ステップｂ４へ移行する。ステップｂ４では、読み出されるタグ識別情報に基づくタグ無線信号Ｗ４，Ｗ５（図９（ｂ）および図９（ｃ））を各タグ用アンテナ３１から出力する。タグ無線信号Ｗ４，Ｗ５を出力すると、処理を終了する。
【００５０】
以下では、このように構成されるカルテの収納位置検出装置１が奏する効果について説明する。本実施の形態のカルテの収納位置検出装置１によれば、本体制御部１０は、本体アンテナ１７を励振して、カルテ用収納領域１８に交番磁界を発生させる。交番磁界が発生するカルテ用収納領域１８内において、ＩＣタグ５は、タグ用アンテナ３１によって誘導起電力を発生する。この誘導起電力によってタグ制御部３７が駆動し、タグ記憶部３６に記憶されるタグ識別情報を読出し、タグ用アンテナ３１によってこのタグ識別情報を出力する。このタグ識別情報は、本体制御部１０によって、検出され、磁気カード１１から読取った識別情報と一致するか否かを判定される。タグ識別情報と識別情報とが一致すると、本体制御部１０は、一致ファイル４が、カルテ用収納領域１８に収納されていることを、表示部８によって報知する。これによって予め、タグ識別情報を割振って、各タグ記憶部３６に記憶させると、磁気カード１１から識別情報を読取るだけで、カルテ用収納領域１８に一致ファイル４が収納されているか否かを知ることができる。それ故、一致ファイル４を探索する探索作業の負担を軽減できる。換言すると、探索作業に伴う人件費を低減できる。またカルテファイル４に設けられるＩＣタグ５に記憶されるタグ識別情報を１つ１つ確認する確認作業を省くことができ、確認作業に伴う人件費を低減できる。
【００５１】
本実施の形態のカルテの収納位置検出装置１によれば、一対の本体アンテナ器１４は、複数のカルテ用収納領域１８にそれぞれ設けられる。本体制御部１０は、各組の一対の本体アンテナ１７を順次的に励振して、カルテ用収納領域１８に交番磁界を発生させる。順次的に励振することによって、カルテ用収納領域１８毎に一致ファイル４が収納されているか否かを判定できる。これによって一致ファイル４がいずれのカルテ用収納領域１８に収納されているか、すなわち一致ファイル４の収納されている収納位置を知ることができる。したがって複数のカルテ用収納領域１８が形成される場合であっても、予め、各ＩＣタグ５に互いに異なるタグ識別情報を割振ってタグ記憶手段に記憶させると、識別情報を磁気カード１１から読取るだけで、一致ファイル４が収納される収納位置を知ることができる。それ故、一致ファイル４を探索する探索作業の負担を軽減できる。換言すると、探索作業に伴う人件費を低減できる。
【００５２】
本実施の形態のカルテの収納位置検出装置１によれば、本体制御部１０は、識別情報とタグ識別情報とが一致すると、一致ファイル４が収納されるカルテ用収納領域１８に一致ファイル４が収納されていることを、前記カルテ用収納領域１８に対応する表示部８によって報知する。これによって一致ファイル４が収納されるカルテ用収納領域１８を容易に知ることができる。したがって、一致ファイル４を探索する探索作業の負担を軽減できる。換言すると、探索作業に伴う人件費を低減できる。
【００５３】
本実施の形態のカルテの収納位置検出装置１によれば、本体アンテナユニット３では、２つの本体アンテナ器１４の間にフェライト板１５が介在する。これによって一対の本体アンテナ器１４は、一方向、具体的にはこれらが互いに近接する方向に強い指向性を有する交番磁界を発生させることができる。これによって一対の本体アンテナ器１４は、これらが形成するカルテ用収納領域１８だけに交番磁界を発生して、無線信号を出力できる。したがって、カルテ用収納領域１８毎にカルテファイル４が収納されているか否かを判定することを実現できる。これによって表示部８が発光すると、発光する表示部８に対応するカルテ用収納領域１８を探索すれば、カルテファイル４を確実に見つけることができる。
【００５４】
本実施の形態のカルテの収納位置検出装置１によれば、カルテ用収納領域１８に収納される複数のカルテファイル４のなかから一致ファイル４を、一対の本体アンテナ器１４によって探索する。したがってカルテファイル４毎に本体アンテナ１７を設ける場合に比べて、部品点数を少なくすることができる。それ故、構造を簡単化することができ、製造コストを低減できる。
【００５５】
【００５６】
【００５７】
【００５８】
【００５９】
【００６０】
【００６１】
【００６２】
【００６３】
【００６４】
【００６５】
【００６６】
【００６７】
【００６８】
【００６９】
【００７０】
【００７１】
【００７２】
【００７３】
【００７４】
【００７５】
【００７６】
【００７７】
【００７８】
本実施の形態では、振幅変調によって情報がコード化される無線信号を用いて通信が行われているけれども、これに限定されない。たとえば位相変調されている無線信号または周波数変調されている無線信号であってもよい。
【図面の簡単な説明】
【００７９】
【図１】本発明の実施の一形態であるカルテの収納位置検出装置１の一部を拡大して示す拡大斜視図である。
【図２】装置本体２の電気的な構成を示すブロック図である。
【図３】本体アンテナユニット３を示す斜視図である。
【図４】ＩＣタグ５が設けられるカルテファイル４を示す斜視図である。
【図５】カルテファイル４を拡大して示す斜視図である。
【図６】カルテファイル４を分解して示す分解図である。
【図７】ＩＣタグ５の電気的な構成を示すブロック図である。
【図８】本体制御部１０およびタグ制御部３７の動作を示すフローチャートである。
【図９】装置本体２およびＩＣタグ５から出力される無線信号の波形の包絡線を示す波形図である。
【符号の説明】
【００８０】
１  カルテの収納位置検出装置
４  カルテファイル
５  ＩＣタグ
６  読取り器
８  表示部
９  本体記憶部
１０  本体制御部
１７  本体アンテナ
３１  タグ用アンテナ
３６  タグ記憶部
３７  タグ制御部
４２  タグ表示部
【図１】
0004073924.tif 000002
【図２】
0004073924.tif 000003
【図３】
0004073924.tif 000004
【図４】
0004073924.tif 000005
【図５】
0004073924.tif 000006
【図６】
0004073924.tif 000007
【図７】
0004073924.tif 000008
【図８】
0004073924.tif 000009
【図９】
0004073924.tif 000010